(57)【要約】【課題】  所定の規格に準拠した記録媒体に対応した機器間の互換性を維持し、且つ該機器で記録したデータと例えばＰＣ上の汎用データとを区別可能とする。【解決手段】  所定の規格に準拠した記録媒体に対応した対応機器で画像データを記録する際には、画像データのヘッダに所定の識別子を付加し、対応機器では、この識別子が付加された画像データのみを再生する。ＰＣ３０からディスクドライブ装置５０に画像データを供給し、記録媒体２０に記録する場合には、ヘッダに所定の識別子が付加され且つ画像加工部３７で所定の加工がなされており、又はヘッダに所定の識別子が付加されていなければ、画像データをそのまま記録媒体２０に記録させ、画像データのヘッダに所定の識別子が付加されているものの、画像加工部３７とは異なる他の画像加工部で加工されていれば、ヘッダの所定の識別子を削除し、記録媒体２０に記録させる。【選択図】  図２
2005071463.tif 000002
【特許請求の範囲】
【請求項１】
所定の規格に準拠した記録媒体に対して画像データ及び／又は音声データを記録する記録装置であって、
上記所定の規格に準拠した再生装置での再生を保証するための所定の識別子を画像データ及び／又は音声データに付加する識別子付加手段と、
上記識別子付加手段によって上記所定の識別子が付加された上記画像データ及び／又は音声データを上記記録媒体に記録する記録手段と
を有することを特徴とする記録装置。
【請求項２】
画像を撮影する撮像手段をさらに有し、
上記画像データは、上記撮像手段によって撮像した画像データであることを特徴とする請求項１記載の記録装置。
【請求項３】
音声を録音する録音手段をさらに有し、
上記音声データは、上記録音手段によって録音した音声データであることを特徴とする請求項１記載の記録装置。
【請求項４】
所定の規格に準拠した記録媒体に対して画像データ及び／又は音声データを記録する記録方法であって、
上記所定の規格に準拠した再生装置での再生を保証するための所定の識別子を画像データ及び／又は音声データに付加する識別子付加工程と、
上記識別子付加工程にて上記所定の識別子が付加された上記画像データ及び／又は音声データを上記記録媒体に記録する記録工程と
を有することを特徴とする記録方法。
【請求項５】
所定の規格に準拠した記録媒体に記録された画像データ及び／又は音声データを再生する再生装置であって、
上記記録媒体に記録された画像データ及び／又は音声データに所定の識別子が付加されているか否かを判別する判別手段と、
上記所定の識別子の付加されている上記画像データ及び／又は音声データのみを再生する再生手段と
を有することを特徴とする再生装置。
【請求項６】
所定の規格に準拠した記録媒体に記録された画像データ及び／又は音声データを再生する再生方法であって、
上記記録媒体に記録された画像データ及び／又は音声データに所定の識別子が付加されているか否かを判別する判別工程と、
上記所定の識別子の付加されている上記画像データ及び／又は音声データのみを再生する再生工程と
を有することを特徴とする再生方法。
【請求項７】
所定の規格に準拠した記録媒体に対して画像データ及び／又は音声データを記録する記録装置であって、
画像データ及び／又は音声データに、上記所定の規格に準拠した再生装置での再生を保証するための所定の識別子が付加されているか否かを判別する第１の判別手段と、
上記所定の識別子が付加されている画像データ及び／又は音声データについて、所定の画像／音声処理手段を介したか否かを判別する第２の判別手段と、
上記所定の識別子が付加されており、且つ上記所定の画像／音声処理手段を介した画像データ及び／又は音声データ、又は上記所定の識別子が付加されていない画像データ及び／又は音声データについては、そのまま上記記録媒体に記録し、上記所定の識別子が付加されており、且つ上記所定の画像／音声処理手段を介していない画像データ及び／又は音声データについては、上記所定の識別子を削除して上記記録媒体に記録する記録手段と
を有することを特徴とする記録装置。
【請求項８】
上記所定の画像／音声処理手段は、上記画像データ及び／又は音声データを所定の表示／再生条件に合致するように加工することを特徴とする請求項７記載の記録装置。
【請求項９】
所定の規格に準拠した記録媒体に対して画像データ及び／又は音声データを記録する記録方法であって、
画像データ及び／又は音声データに所定の識別子が付加されているか否かを判別する第１の判別工程と、
上記所定の識別子が付加されている画像データ及び／又は音声データについて、所定の画像／音声処理手段を介したか否かを判別する第２の判別工程と、
上記所定の識別子が付加されており、且つ上記所定の画像／音声処理手段を介した画像データ及び／又は音声データ、又は上記所定の識別子が付加されていない画像データ及び／又は音声データについては、そのまま上記記録媒体に記録し、上記所定の識別子が付加されており、且つ上記所定の画像／音声処理手段を介していない画像データ及び／又は音声データについては、上記所定の識別子を削除して上記記録媒体に記録する記録工程と
を有することを特徴とする記録方法。
【請求項１０】
画像データ及び／又は音声データに所定の識別子が付加されているか否かを判別する判別手段と、
上記所定の識別子が付加されている画像データ及び／又は音声データを所定の表示／再生条件に合致するように加工する加工手段と
を有することを特徴とするデータ加工装置。
【請求項１１】
画像データ及び／又は音声データに所定の識別子が付加されているか否かを判別する判別工程と、
上記所定の識別子が付加されている画像データ及び／又は音声データを所定の表示／再生条件に合致するように加工する加工工程と
を有することを特徴とするデータ加工方法。
【発明の詳細な説明】
【技術分野】
【０００１】
本発明は、所定の規格に準拠した記録媒体に対応した対応機器間の互換性を維持し、且つ該対応機器で記録したデータと例えばパーソナルコンピュータ上の汎用データとを区別可能な記録装置及び方法、再生装置及び方法、並びにデータ加工装置及び方法に関する。
【背景技術】
【０００２】
現在、直径略６４ｍｍのディスクがカートリッジに収納された形態の小型のディスク状記録媒体が広く知られるようになった。この小型のディスク状記録媒体は、ミニディスク（登録商標）と呼ばれ、例えば光磁気記録（ＭＯ）方式によりデータが記録され再生も可能な記録再生型の光磁気ディスクがある。
【０００３】
さらに近年では、トラックピッチ１．６μｍでグルーブ記録、また変調方式がＥＦＭである初期のミニディスクよりもさらに記録容量を上げた次世代ＭＤ（以下、Ｈｉ-ＭＤという。）が開発されつつある。このＨｉ-ＭＤとしては、従来の媒体（ディスクやカートリッジ）はそのままに、変調方式や論理構造などを変更してユーザエリア等を倍密度にし、記録容量を従来の約２倍の３００ＭＢに増加したＨｉ-ＭＤ１や、外形、光学系は互換性を保ちながらも、トラックピッチを１．２５μｍに狭め、且つグルーブから磁壁移動検出（Domain Wall Displacement Detection：ＤＷＤＤ）によって記録マークを検出することにより、Ｈｉ-ＭＤ１に比してさらに記録容量を増加したＨｉ-ＭＤ３等がある。このＨｉ-ＭＤは、記録容量が大きいため、音声データの他、画像データ等についても記録することができる。また、パーソナルコンピュータ（以下、ＰＣという。）等の外部ストレージとして使用することもでき、ＰＣ上のあらゆるデータを記録することができる。
【０００４】
ところで、下記特許文献１では、メモリカード、磁気媒体（ハードディスクやフレキシブルディスク）及び光磁気媒体等の記録媒体に画像データや音声データ等を記録するデジタルスチルカメラ等においてＰＣとのデータ互換性を維持する技術が提案されている。
【０００５】
【特許文献１】特開平７−１９１８８５号公報
【発明の開示】
【発明が解決しようとする課題】
【０００６】
しかしながら、例えばＰＣ上の画像データを表示する場合等には、著作権法上の問題が生じる虞もあり、無制限に表示等を認めることは好ましくない。その一方で、例えばＨｉ-ＭＤに対応したあるＨｉ-ＭＤ対応機器で記録した画像データを他のＨｉ-ＭＤ対応機器で表示できないとすれば、ユーザの利便性の観点から好ましくなく、少なくともＨｉ-ＭＤ対応機器間での互換性を維持する必要がある。
【０００７】
本発明は、このような従来の実情に鑑みて提案されたものであり、例えばＨｉ-ＭＤ等の所定の規格に準拠した記録媒体に対応した対応機器間の互換性を維持し、且つ該対応機器で記録したデータと例えばパーソナルコンピュータ上の汎用データとを区別可能な記録装置及びその方法、再生装置及びその方法、並びにデータ加工装置及びその方法を提供することを目的とする。
【課題を解決するための手段】
【０００８】
上述した目的を達成するために、本発明に係る記録装置及びその方法は、所定の規格に準拠した記録媒体に対して画像データ及び／又は音声データを記録する記録装置及びその方法であって、上記所定の規格に準拠した再生装置での再生を保証するための所定の識別子を画像データ及び／又は音声データに付加し、上記所定の識別子が付加された上記画像データ及び／又は音声データを上記記録媒体に記録する。
【０００９】
また、上述した目的を達成するために、本発明に係る再生装置及びその方法は、所定の規格に準拠した記録媒体に記録された画像データ及び／又は音声データを再生する再生装置及びその方法であって、上記記録媒体に記録された画像データ及び／又は音声データに所定の識別子が付加されているか否かを判別し、上記所定の識別子の付加されている上記画像データ及び／又は音声データのみを再生する。
【００１０】
また、上述した目的を達成するために、本発明に係る記録装置及びその方法は、所定の規格に準拠した記録媒体に対して画像データ及び／又は音声データを記録する記録装置及びその方法であって、画像データ及び／又は音声データに、上記所定の規格に準拠した再生装置での再生を保証するための所定の識別子が付加されているか否かを判別し、上記所定の識別子が付加されている画像データ及び／又は音声データについて、所定の画像／音声処理手段を介したか否かを判別し、上記所定の識別子が付加されており、且つ上記所定の画像／音声処理手段を介した画像データ及び／又は音声データ、又は上記所定の識別子が付加されていない画像データ及び／又は音声データについては、そのまま上記記録媒体に記録し、上記所定の識別子が付加されており、且つ上記所定の画像／音声処理手段を介していない画像データ及び／又は音声データについては、上記所定の識別子を削除して上記記録媒体に記録する。
【００１１】
また、上述した目的を達成するために、本発明に係るデータ加工装置及びその方法は、画像データ及び／又は音声データに所定の識別子が付加されているか否かを判別し、上記所定の識別子が付加されている画像データ及び／又は音声データを所定の表示／再生条件に合致するように加工する。
【００１２】
このような記録装置及びその方法、再生装置及びその方法、並びにデータ加工装置及びその方法では、画像データ及び／又は音声データを所定の規格に準拠した記録媒体に記録する際には、上記所定の規格に準拠した再生装置での再生を保証するための所定の識別子を付加し、再生する際には上記所定の識別子が付加されている画像データ及び／又は音声データのみを再生する。また、所定の識別子が付加されている画像データ及び／又は音声データを所定の表示／再生条件に合致するように加工する。
【発明の効果】
【００１３】
本発明に係る記録装置及びその方法、再生装置及びその方法、並びにデータ加工装置及びその方法によれば、画像データ及び／又は音声データを所定の規格に準拠した記録媒体に記録する際には、上記所定の規格に準拠した再生装置での再生を保証するための所定の識別子を付加し、再生する際には上記所定の識別子が付加されている画像データ及び／又は音声データのみを再生し、また、上記所定の識別子が付加されている画像データ及び／又は音声データを所定の表示／再生条件に合致するように加工することにより、上記所定の規格に準拠した記録媒体に対応した機器間の互換性を維持しつつ、該機器で記録したデータと例えばパーソナルコンピュータ上の汎用データとを区別することが可能となる。
【発明を実施するための最良の形態】
【００１４】
以下、本発明を適用した具体的な実施の形態について、図面を参照しながら詳細に説明する。この実施の形態は、本発明を、従来のミニディスク（登録商標）よりもさらに記録容量を上げた次世代ＭＤ（以下、Ｈｉ-ＭＤという。）に対する記録再生を行う記録再生装置（デジタルスチルカメラ及びディスクドライブ装置）と、記録再生装置（ディスクドライブ装置）に接続された情報処理装置（パーソナルコンピュータ）とに適用したものである。
【００１５】
先ず、本実施の形態における記録再生装置の一例としてのデジタルスチルカメラの概略構成を図１に示す。図１に示すように、本実施の形態におけるデジタルスチルカメラ１０は、周囲の画像を撮像する撮像部１１と、アナログの画像信号をデジタルの画像データに変換するＡ／Ｄ（Analogue/Digital）変換部１２と、画像データを記憶するフレームメモリ１３と、デジタルの画像データをアナログの画像信号に変換するＤ／Ａ（Digital/Analogue）変換部１４と、画像信号に対してエンコード処理を施すビデオエンコーダ１５と、画像が表示されるビューファインダ１６と、画像データに対して圧縮／伸長処理を施す圧縮／伸長部１７と、記録媒体２０に対する記録再生処理を制御するメディアドライブ部１８とから構成されている。
【００１６】
このデジタルスチルカメラ１０において、画像撮像時には、被写体がＣＣＤ（Charge Coupled Device）等を有する撮像部１１に入力される。撮像部１１からの画像信号は、Ａ／Ｄ変換部１２でデジタルの画像データに変換され、フレームメモリ１３に書き込まれる。フレームメモリ１３から読み出された画像データは、Ｄ／Ａ変換部１４でアナログの画像信号に変換され、ビデオエンコーダ１５でエンコード処理が施された後、ビューファインダ１６に供給されて表示される。
【００１７】
また、画像データの記録時には、フレームメモリ１３から読み出された画像データは、圧縮／伸長部１７で例えばＪＰＥＧ（Joint Photographic Coding Experts Group）方式に準拠した圧縮方式で圧縮処理が施され、メディアドライブ部１８を介して記録媒体２０に記録される。この際、圧縮／伸長部１７では、Ｈｉ-ＭＤに対応したＨｉ-ＭＤ対応機器で撮像し記録したことを示すために、画像データのヘッダのユーザエリアにＨｉ-ＭＤを示す識別子を付加する。
【００１８】
一方、画像データの再生時には、メディアドライブ部１８を介して記録媒体２０から読み出された画像データは、圧縮／伸長部１７で伸長処理が施され、フレームメモリ１３に書き込まれる。この際、圧縮／伸長部１７では、画像データのヘッダにＨｉ-ＭＤを示す識別子が付加されているか否かが確認され、ヘッダにＨｉ-ＭＤを示す識別子が付加されている画像データのみ伸長処理が施される。フレームメモリ１３から読み出された画像データは、Ｄ／Ａ変換部１４でアナログの画像信号に変換され、ビデオエンコーダ１５でエンコード処理が施された後、ビューファインダ１６に供給されて表示される。
【００１９】
このように、本実施の形態におけるデジタルスチルカメラ１０によれば、撮像した画像データを記録媒体２０に記録する際に、その画像データのヘッダのユーザエリアにＨｉ-ＭＤを示す識別子を付加し、また、記録媒体２０に記録されている画像データのうち、ヘッダにＨｉ-ＭＤを示す識別子が付加されているもののみを再生することにより、Ｈｉ-ＭＤ対応機器間の互換性を維持しつつ、デジタルスチルカメラ１０で記録媒体２０に記録した画像データと、例えばパーソナルコンピュータ（以下、ＰＣという。）上の汎用画像データとを区別することが可能となる。
【００２０】
ところで、上述した記録媒体２０は、ＰＣの外部ストレージとしても使用することができる。そこで、以下では、上述のようにＨｉ-ＭＤ対応機器で記録された画像データのヘッダにはＨｉ-ＭＤを示す識別子が付加されていることを前提として、情報処理装置としてのＰＣに記録再生装置の一例としてのディスクドライブ装置が接続された場合について、図２を用いて説明する。
【００２１】
ＰＣ３０は、該ＰＣ３０の各部を統括して制御するＣＰＵ（Central Processing Unit）３１と、不揮発性のメモリであるＲＯＭ（Read Only Memory）３２と、揮発性のメモリであるＲＡＭ（Random Access Memory）３３と、ユーザが各種情報を入力するためのキーボードやマウス等の入力部３４と、各種情報を表示するための陰極線管（Cathode Ray Tube；ＣＲＴ）や液晶表示装置（Liquid Crystal Display；ＬＣＤ）等の表示部３５と、例えばインターネットを介して通信処理を行うモデムやターミナルアダプタ等の通信部３６と、画像データの解像度を変更する等の加工を行う画像加工部３７と、画像データを表示部３５に表示するための処理を行う画像処理部３８と、図示しないハードディスクに対する記録再生処理を制御するＨＤＤ（Hard Disc Drive）３９と、ＵＳＢ（Universal Serial Bus）を介したデータの送受信を制御するＵＳＢインターフェース（Ｉ／Ｆ）４０とがバス４１を介して接続されてなる。
【００２２】
このようなＰＣ３０において、画像加工部３７は、例えばインターネットを介して得られた画像データ等に対して解像度を変更する等の所定の加工を行うが、この際、後述するように、画像データのヘッダにＨｉ-ＭＤを示す識別子が付加されているか否かによって異なる処理を行う。
【００２３】
一方、ディスクドライブ装置５０は、該ディスクドライブ装置５０の各部を統括して制御するＣＰＵ５１と、不揮発性のメモリであるＲＯＭ５２と、揮発性のメモリであるＲＡＭ５３と、画像データのヘッダを加工するヘッダ加工部５４と、記録媒体２０に対する記録再生処理を制御するメディアドライブ部５５と、ＵＳＢを介したデータの送受信を制御するＵＳＢインターフェース（Ｉ／Ｆ）５６とがバス５７を介して接続されてなる。
【００２４】
このようなディスクドライブ装置５０において、ヘッダ加工部５４は、ＰＣ３０からＵＳＢを介して供給された画像データを記録媒体２０に記録する際に、画像データのヘッダの加工を行う。
【００２５】
なお、図２に示す構成は一例であり、この構成に限定されるものではない。例えばＰＣ３０とディスクドライブ装置５０との接続はＵＳＢに限らず、ＩＥＥＥ（The Institute of Electrical and Electronics Engineers,Inc.：アメリカ電気・電子技術者協会）の定める規格に準拠した、いわゆるＩＥＥＥ１３９４インターフェースのほか、汎用の接続インターフェースが利用できる。
【００２６】
図２に示す構成において、前述したデジタルスチルカメラ１０によって記録媒体２０に記録された画像データには、ヘッダにＨｉ-ＭＤを示す識別子が付加されているが、この画像データをディスクドライブ装置５０からＰＣ３０に供給する場合、ＰＣ３０ではこの識別子を無視することにより、汎用画像データとして扱う。
【００２７】
逆に、ＰＣ３０からディスクドライブ装置５０に画像データを供給し、記録媒体２０に記録しようとする場合、ＰＣ３０の画像加工部３７は、画像データのヘッダにＨｉ-ＭＤを示す識別子が付加されているか否かを確認し、付加されている場合には、Ｈｉ-ＭＤ対応機器、例えばデジタルスチルカメラ１０における再生保証範囲内となるように解像度を変更し、ディスクドライブ装置５０に供給する。画像データのヘッダにＨｉ-ＭＤを示す識別子が付加されていない場合、画像加工部３７は、画像データをそのままディスクドライブ装置５０に供給する。
【００２８】
このＰＣ３０の処理を図３のフローチャートに示す。先ずステップＳ１において、画像データのヘッダを確認し、次にステップＳ２において、Ｈｉ-ＭＤを示す識別子が付加されているか否かを判別する。Ｈｉ-ＭＤを示す識別子が付加されている場合にはステップＳ３に進み、付加されていない場合にはステップＳ５に進む。続いてステップＳ３において、画像データの解像度がＨｉ-ＭＤ対応機器での再生保証範囲内か否かを判別し、範囲内でない場合（No）には、ステップＳ４で範囲内となるように解像度を変更してステップＳ５に進み、範囲内である場合（Yes）には、ステップＳ５に進む。そしてステップＳ５では、画像データをディスクドライブ装置５０に供給して終了する。
【００２９】
一方、ディスクドライブ装置５０のヘッダ加工部５４は、画像データのヘッダにＨｉ-ＭＤを示す識別子が付加されており、且つＰＣ３０の画像加工部３７で所定の加工がなされている場合には、画像データをそのまま記録媒体２０に記録させる。また、画像データのヘッダにＨｉ-ＭＤを示す識別子が付加されているものの、ＰＣ３０において画像加工部３７とは異なる図示しない他の画像加工部で加工されている場合には、Ｈｉ-ＭＤ対応機器、例えばデジタルスチルカメラ１０における再生保証範囲外となっている可能性があるため、ヘッダ加工部５４は、画像データのヘッダのＨｉ-ＭＤを示す識別子を削除し、記録媒体２０に記録させる。また、画像データのヘッダにＨｉ-ＭＤを示す識別子が付加されていない場合には、画像データをそのまま記録媒体２０に記録させる。
【００３０】
このディスクドライブ装置５０の処理を図４のフローチャートに示す。先ずステップＳ１０において、ＰＣ３０から画像データを受け取り、次にステップＳ１１において、画像データのヘッダを確認する。続いてステップＳ１２において、ヘッダにＨｉ-ＭＤを示す識別子が付加されているか否かを判別し、Ｈｉ-ＭＤを示す識別子が付加されている場合にはステップＳ１３に進み、付加されていない場合にはステップＳ１５に進む。続いてステップＳ１３において、ＰＣ３０の画像加工部３７で所定の加工がなされているか否かを判別する。画像加工部３７で所定の加工がなされていない場合（No）、例えば画像データが画像加工部３７とは異なる図示しない他の画像加工部で加工されている場合には、ステップＳ１４でＨｉ-ＭＤを示す識別子を削除してステップＳ１５に進み、画像加工部３７で所定の加工がなされている場合（Yes）には、ステップＳ１５に進む。そしてステップＳ１５では、画像データを記録媒体２０に記録して終了する。
【００３１】
つまり、ＰＣ３０の画像データをディスクドライブ装置５０に画像データを供給し、記録媒体２０に記録しようとする場合、画像データのヘッダにＨｉ-ＭＤを示す識別子が付加されており、且つＰＣ３０の画像加工部３７で所定の加工がなされている場合のみ、識別子が付加された状態で記録媒体２０に記録されるため、例えばデジタルスチルカメラ１０等で表示することが可能となる。一方、画像データのヘッダにＨｉ-ＭＤを示す識別子が付加されているものの、ＰＣ３０において画像加工部３７とは異なる図示しない他の画像加工部で加工されている場合には、識別子が削除されて記録媒体２０に記録されるため、デジタルスチルカメラ１０等で表示できなくなる。なお、元々ヘッダにＨｉ-ＭＤを示す識別子が付加されていない画像データについて、デジタルスチルカメラ１０等で表示できないことについては、上述の通りである。
【００３２】
このように、本実施の形態におけるＰＣ３０及びディスクドライブ装置５０によれば、ヘッダにＨｉ-ＭＤを示す識別子が付加された画像データをディスクドライブ装置５０からＰＣ３０に供給する場合にはＰＣ３０上でこの識別子を無視して汎用画像データとして扱う。一方、ＰＣ３０からディスクドライブ装置５０に画像データを供給し、記録媒体２０に記録しようとする場合には、画像データのヘッダにＨｉ-ＭＤを示す識別子が付加されており、且つＰＣ３０の画像加工部３７で所定の加工がなされており、又はヘッダにＨｉ-ＭＤを示す識別子が付加されていなければ、画像データをそのまま記録媒体２０に記録させ、画像データのヘッダにＨｉ-ＭＤを示す識別子が付加されているものの、ＰＣ３０において画像加工部３７とは異なる図示しない他の画像加工部で加工されていれば、画像データのヘッダのＨｉ-ＭＤを示す識別子を削除し、記録媒体２０に記録させる。これにより、Ｈｉ-ＭＤ対応機器間の互換性を維持しつつ、デジタルスチルカメラ１０で記録媒体２０に記録した画像データと、例えばＰＣ上の汎用画像データとを区別することができ、また、ＰＣ３０上の画像データをＨｉ-ＭＤ対応機器で無制限に表示することによる著作権法上の問題を未然に防止することができる。
【００３３】
なお、本発明は上述した実施の形態のみに限定されるものではなく、本発明の要旨を逸脱しない範囲において種々の変更が可能であることは勿論である。
【００３４】
例えば、上述の実施の形態では、静止画像データを例として説明したが、これに限定されるものではなく、動画像データや音声データ等の他のデータの場合にも、ヘッダにＨｉ-ＭＤを示す識別子を付加することで、同様に実現可能である。
【００３５】
また、上述の実施の形態では、ハードウェアの構成として説明したが、これに限定されるものではなく、任意の処理、例えばＰＣ３０の画像加工部３７における処理等を、ＣＰＵにコンピュータプログラムを実行させることにより実現することも可能である。この場合、コンピュータプログラムは、記憶媒体・記録媒体に記録して提供することも可能であり、また、インターネットその他の伝送媒体を介して伝送することにより提供することも可能である。
【産業上の利用可能性】
【００３６】
所定の規格に準拠した記録媒体に対応した機器間の互換性を維持し、且つ該機器で記録したデータと例えばパーソナルコンピュータ上の汎用データとを区別して、パーソナルコンピュータ上のデータを無制限に表示等することによる著作権法上の問題を未然に防止することができる。
【図面の簡単な説明】
【００３７】
【図１】本実施の形態における記録再生装置の一例としてのデジタルスチルカメラの概略構成を示す図である。
【図２】情報処理装置してのパーソナルコンピュータと、該パーソナルコンピュータに接続された記録再生装置の一例としてのディスクドライブ装置との概略構成を示す図である。
【図３】パーソナルコンピュータからディスクドライブ装置に画像データを供給し、記録媒体に記録する場合におけるパーソナルコンピュータの処理を説明するフローチャートである。
【図４】パーソナルコンピュータから供給された画像データを記録媒体に記録する場合におけるディスクドライブ装置の処理を説明するフローチャートである。
【符号の説明】
【００３８】
１０  デジタルスチルカメラ、１１  撮像部、１２  Ａ／Ｄ変換部、１３  フレームメモリ、１４  Ｄ／Ａ変換部、１５  ビデオエンコーダ、１６  ビューファインダ、１７  圧縮／伸長部、１８  メディアドライブ部１８、２０  記録媒体、３０  パーソナルコンピュータ、３７  画像加工部、５０  ディスクドライブ装置、５４  ヘッダ加工部
【図１】
2005071463.tif 000003
【図２】
2005071463.tif 000004
【図３】
2005071463.tif 000005
【図４】
2005071463.tif 000006